(57)【特許請求の範囲】
【請求項１】
吸湿性を有する基板部の上面に突板を貼着してなる床板部の側面に実を形成し、床板部の上面に透明又は半透明な上面防湿層を貼着し、床板部の実を形成した側面に該側面に沿う形状をした自己保形性を有する金属箔で形成した防湿性部材を貼着すると共に、上面防湿層又は防湿性部材を貼着していない床板部の表面に防湿層を形成し、前記上面防湿層及び防湿層としてそれぞれ床板部の上面及び下面より大きな防湿性シートを形成し、該防湿性シートを前記上面及び下面にそれぞれ貼着してその周端縁を床板部の側面に貼着し、床板部の四側面に実を形成して該側面に貼着する防湿性部材の周端縁を上記防湿性シートの外表面に貼着して成ることを特徴とする床材。
【請求項２】
基板部を木質繊維板と木材削片板の一方又は両方で形成して成ることを特徴とする請求項１記載の床材。
【発明の詳細な説明】
【０００１】
【発明の属する技術分野】
本発明は、建物の室内の床面に配設される床材に関するものである。
【０００２】
【従来の技術】
従来より、住宅等の建物室内の床面には、木質の床材がよく用いられている。これは、木材の合板からパネル状の床材を複数形成し、この床材を床に敷詰めるものである。床材の表面や裏面には、防湿処理が施してある。
【０００３】
このような従来の床材は、側面の木口には防湿処理が施されていないため、木口からの吸湿・吐湿によって床材の湿度（含水率）変化が生じるものの、湿度変化による床材の伸縮率は小さく床に敷詰めた後で反り・突き上げ等が発生することはないものであった。ところが、最近は樹木の伐採制限等によりこのような合板を使用することが困難になってきており、合板の代替品として、複数の木屑片を固めて形成した削片板や、木材を一度解繊してパルプ状に形成した木質繊維板等が使用される傾向にある。
【０００４】
このような木質繊維板や木材削片板は、表１に示すように吸湿・吐湿による伸縮率が合板よりも大きいものであり、これらより上記のような床材を形成して床に敷詰めた場合、伸縮によって反り・突き上げ等が発生するという問題があった。そこで、木質繊維板や木材削片板からなる床材の側面の木口に防湿処理することが考えられた。
【０００５】
【表１】
0003724385.tif 000002
【０００６】
ところで、上述したような床材は、床に複数敷詰めてほぼ面一な床面を形成するものであるが、床材の側面にはそれぞれ雄実と雌実が形成されており、この雄実と雌実の嵌合によって隣接する床材が接合されるものである。
【０００７】
床材の木口への防湿処理としては、合成樹脂からなる防湿性を有するシートを貼着することがまず考えられるのであるが、このようなシートは薄くて保形性がないものであって、床材の実が形成された側面に貼着する作業は困難であると共に、このようなシートを実の如く凹凸のある面に貼着して施した防湿処理は不十分なものであった。
【０００８】
【発明が解決しようとする課題】
本発明は上記の点に鑑みてなされたものであり、その目的とするところは、側面に実が形成された吸湿性を有する材料からなる床材の前記側面に、容易に迅速に十分な防湿処理を施すことのできる床材を提供することを課題とするものである。
【０００９】
【課題を解決するための手段】
上記課題を解決するために本発明に係る床材は、吸湿性を有する基板部１１の上面に突板１２を貼着してなる床板部１の側面１ａに実２を形成し、床板部１の上面に透明又は半透明な上面防湿層３を貼着し、床板部１の実２を形成した側面１ａに該側面１ａに沿う形状をした自己保形性を有する金属箔で形成した防湿性部材４を貼着すると共に、上面防湿層３又は防湿性部材４を貼着していない床板部１の表面に防湿層５を形成して成ることを特徴とするものである。このような構成とすることで、床材の実２が形成された側面１ａに自己保形性を有する防湿性部材４を貼着することで、この側面１ａに容易に迅速に防湿処理を施すことが可能となると共に床材の表面を防湿性を有する部材で確実に隙間無く被覆することが可能となって、防湿処理として十分なものとすることができ、この時、防湿性部材４を金属箔で形成することで容易に形成可能となる。
【００１０】
また、基板部１１を木質繊維板と木材削片板の一方又は両方で形成することが好ましい。このような構成とすることで、最近の傾向としての脱合板化に対応することが可能となる。
【００１３】
【発明の実施の形態】
以下、本発明の一実施形態について添付図面に基づいて説明する。
【００１４】
本発明の床材は、基板部１１とこの基板部１１上面に貼着する突板１２とで主体となる床板部１が形成される。
【００１５】
基板部１１は、吸湿性を有する材料で形成され、本実施形態では、ＭＤＦやＨＤＦ等の木質繊維板や、木材削片板（所謂パーティクルボード）や、あるいはＷＰＢからなる平面視矩形状をしたものである。この基板部１１の表面には、化粧板としての突板１２が貼着される。突板１２は、基板部１１と同様に木質材料で形成されるもので、湿式で形成されるものであれば厚さ０．２〜０．５ｍｍ程度、乾式で形成されるものであれば厚さ１ｍｍ程度である。突板１２は平面視において基板部に重なるように貼着され、突板１２の表面側（上面側）には木目模様等の模様（図示せず）が形成してあり、床材が床に配設された際に室内側から見えるものである。このようにして、基板部１１の上面に突板１２を貼着して床材の主体となる床板部１が形成してある。
【００１６】
この床板部１は、平面視における矩形状の四側面１ａに実２が形成してある。実２は、雄実２ａ又は雌実２ｂからなるもので、それぞれの面にいずれかの実２ａ，２ｂが形成される。本実施形態においては四側面１ａの全面に形成してあるが、特にこれに限定されるものではなく、一部の側面１ａにのみ形成してあってもよい。
【００１７】
このような床板部１には、上面（即ち突板１２の上面）に上面防湿層３として防湿性シート３１を貼着するものである。この防湿性シート３１は、ＰＰ（ポリプロピレン），ＰＥ（ポリエチレン）等の合成樹脂フィルムを熱融着するもので、例えばＰＰの場合は１８０℃前後で熱溶着し（因みにＰＰの融点は１６０℃〜１７０℃）、ＰＥの場合は１２０℃前後（因みにＰＥの融点は９５℃〜１１０℃）で熱溶着するものである。この防湿性シート３１は、木質材料で形成されて吸湿性を有する床板部１が吸湿しないように表面に貼着するものである。本実施形態では、防湿性シート３１はＰＰやＰＥを用いるものであるが、特にこのように限定されるものではなく、透湿性を有さないかあるいは透湿性が小さな材料であればよい。また、この上面防湿層３としての防湿性シート３１は、透明か半透明に形成するものであり、この防湿性シート３１を貼着した突板１２の上面の模様が、この防湿性シート３１を介して室内側から見えるようにしてある。
【００１８】
また、床板部１の下面にも、上述した上面防湿層３と同様に防湿層５としての防湿性シート５１を貼着するものである。本実施形態では、この防湿性シート５１も上面防湿層３としての防湿性シート３１と同様にＰＰやＰＥを用いるものであるが、特にこのように限定されるものではなく、透湿性を有さないかあるいは透湿性が小さな材料であればよい。また、上面防湿層３としての防湿性シート３１のように透明か半透明である必要はないものである。
【００１９】
また、床板部１の実２を形成した側面１ａには、自己保形性を有する防湿性部材４を被覆するものである。防湿性部材４は金属箔よりなり、この金属箔を実２に当接する部分は実２と同形状に折曲して、実２を含む側面１ａ全面に沿うように形成するものである。本実施形態においては防湿性部材４は金属箔よりなるものであるが、特にこれに限定されるものではなく、防湿性及び自己保形性を兼ね備えるものであればよい。
【００２０】
次に、上記のような上面防湿層３及び防湿層５としての防湿性シート３１，５１と、防湿性部材４とを床板部１に貼着する方法について説明する。
【００２１】
上面防湿層３としての防湿性シート３１を床板部１の上面（即ち平面視における床板部１）より大きく形成し、防湿層５としての防湿性シート５１を床板部１の下面（同じく平面視における床板部１）より大きく形成する。これらの防湿性シート３１，５１を平面視において床板部１が中に配置されるように床板部１の上面と下面とにそれぞれ貼着すると共に、防湿性シート３１，５１の周端縁３１ａ，５１ａを床板部１の側面１ａに貼着する。この際の貼着は上述したように熱溶着により行う。次に、防湿性部材４を床板部１の側面１ａに貼着する。防湿性部材４は、予め金属箔を折曲して実２を含む側面１ａに沿うような形状に形成してあり、実２を含む床板部１の側面１ａに沿わせて貼着する。この時、防湿性部材４の周端縁４ａは上記防湿性シート３１，５１の外表面に貼着し、防湿性部材４と防湿性シート３１，５１との間に湿気が侵入する隙間が生じるのを防止するものである。なお、防湿性部材４の床板部１の側面１ａ及び防湿性シート３１，５１への貼着は、両面テープのようなテープによるのが好ましい。合成ゴム系接着剤等の速乾性の接着剤も使用可能であるが、トルエン等が含まれるため、ＶＯＣ問題上好ましくない。
【００２２】
以上のような構成とすることで、上面防湿層３及び防湿層５と、防湿性部材４とを床板部１の表面に貼着し、床板部１の表面が防湿性を有するもので被覆されたことで、床板部１が吸湿・吐湿して伸縮することによる反り・突き上げの発生を防止することができるものでありながら、防湿性部材４の実２を形成した板部材１の側面１ａへの貼着は、実２を含む側面１ａに沿うような形状に防湿性部材４を形成することで、予め上記形状に保形されている防湿性部材４を該側面１ａに沿って当接させて貼着するだけで、容易に迅速に作業を行うことが可能となると共に、防湿処理として十分なものとすることができる。
【００２３】
なお、本実施形態では、平面視矩形上をした床板部１の四側面に実２を形成したが、四側面のうちの一部の側面に実２を形成し、この実２を形成した側面にのみ防湿性部材４を貼着し、実２を形成していない側面には、床板部１の下面に貼着した防湿性シート５１と同様の防湿層５を形成するようにしてもよい。
【００２４】
【発明の効果】
上記のように本発明の請求項１記載の発明にあっては、吸湿性を有する基板部の上面に突板を貼着してなる床板部の側面に実を形成し、床板部の上面に透明又は半透明な上面防湿層を貼着し、床板部の実を形成した側面に該側面に沿う形状をした自己保形性を有する金属箔で形成した防湿性部材を貼着すると共に、上面防湿層又は防湿性部材を貼着していない床板部の表面に防湿層を形成し、前記上面防湿層及び防湿層としてそれぞれ床板部の上面及び下面より大きな防湿性シートを形成し、該防湿性シートを前記上面及び下面にそれぞれ貼着してその周端縁を床板部の側面に貼着し、床板部の四側面に実を形成して該側面に貼着する防湿性部材の周端縁を上記防湿性シートの外表面に貼着したので、床材の実が形成された側面に自己保形性を有する金属箔で形成した防湿性部材を貼着することで防湿処理を施すことができて、防湿性部材の実を形成した板部材の側面への貼着は、実を含む側面に沿うような形状に防湿性部材を形成することで、予め上記形状に保形されている防湿性部材を該側面に沿って当接させて貼着するだけで、容易に迅速に作業を行うことができると共に床材の表面を防湿性を有する部材で確実に隙間無く被覆するため防湿処理として十分なものとすることができて、この防湿性部材と上面防湿層及び防湿層とで床板部の表面を被覆して、床板部が吸湿・吐湿して伸縮することによる反り・突き上げの発生を防止することが可能となるものである。
【００２５】
また請求項２記載の発明にあっては、上記請求項１記載の発明の効果に加えて、基板部を木質繊維板と木材削片板の一方又は両方で形成したので、最近の傾向としての脱合板化に対応することが可能となる。
【図面の簡単な説明】
【図１】本発明の一実施形態の断面図である。
【符号の説明】
１  床板部
１１  基板部
１２  突板
１ａ  側面
２  実
３  上面防湿層
４  防湿性部材
５  防湿層
【図１】
0003724385.tif 000003